(57)【要約】【課題】エレベータ乗りかごの照明装置をコンパクトにする。【解決手段】実施形態によれば、エレベータ乗りかごの照明装置は、天井面４ａに沿うように且つ一部が貫通長穴１１を塞ぐように配置された光源部３１と、かご室の外側に配置されて光源部３１に電源供給可能に構成された電源部７１と、電源部７１および光源部３１に電気的に接続されて光源部３１等に作用する電圧が所定値になるように調整された電気抵抗部と、一部が貫通穴の下方にあるように天井板４に固定されて、光源部３１を固定して、光源部３１等が発する熱を放熱可能に構成された放熱部２１と、を有する。【選択図】  図４
2013014420.tif 000002
【特許請求の範囲】
【請求項１】
床板と、
この床板に垂直に配置された複数の側板と、
前記床板の上方に互いに平行に配置されて、前記床板および前記複数の側板とで囲われたかご室を形成し、複数の貫通穴が形成された天井板と、
前記天井板の前記かご室に面する天井面に取り付けられた照明装置と、
を有し、
前記照明装置は、
前記天井面に沿うように且つ一部が前記貫通穴を塞ぐように配置された少なくとも一つの光源部と、
前記かご室の外側に配置されて前記光源部に電源供給可能に構成された電源部と、
前記電源部および前記光源部に電気的に接続されて前記光源部に作用する電圧が所定値になるように調整された電気抵抗部と、
一部が前記貫通穴の下方にあるように前記天井板に固定されて、前記光源部を固定して、前記光源部が発する熱を放熱可能に構成された放熱部と、
を有することを特徴とするエレベータ乗りかご。
【請求項２】
前記放熱部は、貫通穴の下方に凹凸部が形成されていること、を特徴とする請求項１に記載のエレベータ乗りかご。
【請求項３】
前記放熱部は鉛直上向に頂点があるように傾斜面が形成されて、前記凹凸部が前記傾斜面に形成されていること、を特徴とする請求項２に記載のエレベータ乗りかご。
【請求項４】
前記傾斜部の頂上が、貫通穴を貫通して天井板の上方に突出していることを特徴とする請求項２または請求項３に記載のエレベータ乗りかご。
【請求項５】
前記光源部、前記電気抵抗部および前記電源部で、一つの閉回路が形成されて、
前記電気抵抗部は、抵抗値が可変であることを特徴とする請求項１ないし請求項４のいずれか一項に記載のエレベータ乗りかご。
【請求項６】
前記放熱部は、天井面に互いに平行で前記天井面から下方に所定の間隔をあけた金属製の固定板により、固定されていること、を特徴とする請求項１ないし請求項５のいずれか一項に記載のエレベータ乗りかご。
【請求項７】
前記固定板に平行に配置され長方形状で前記放熱部を介して前記固定板に取り付けられて、対向する辺それぞれに沿うように前記光源部が配置されて、前記光源部から発する光を所定の方向に導光可能な導光板と、
前記導光板および前記固定板の間に挟まれるように前記導光板の上面に取り付けられて、前記導光板で導光される光を下方に反射する反射シートと、
前記かご室に面するように前記導光板の下面に取り付けられた平板状で、前記導光板内に導光された光を、前記かご室内を照らすように形成された拡散板と、
を有することを特徴とする請求項１ないし請求項６のいずれか一項に記載のエレベータ乗りかご。
【請求項８】
前記拡散板は、前記かご室に面するかご室側面に突出する球面レンズが複数形成されて、前記球面レンズが占める面積が端部よりも中央が大きくなるように構成されていること、を特徴とする請求項１ないし請求項７のいずれか一項に記載のエレベータ乗りかご。
【発明の詳細な説明】
【技術分野】
【０００１】
本発明の実施形態は、照明装置を有するエレベータ乗りかごに関する。
【背景技術】
【０００２】
エレベータ乗りかごは、かご枠と、床板、複数の側板、天井板を有する。床板、複数の側板および天井板は、かご枠内で、直方体状に組み立てられる。床板、複数の側板および天井板は、内部にかご室を形成する。
【０００３】
天井板には、照明装置が取り付けられている。この照明装置は、光源と、この光源を覆うカバーを有する。光源から発せられた光（照明光）は、カバーを透過して、かご室内を照らす（特許文献１）。
【先行技術文献】
【特許文献】
【０００４】
【特許文献１】特開２００７−１８２２９６号公報
【発明の概要】
【発明が解決しようとする課題】
【０００５】
近年、建築構造物の高さ制限等により、天井板の外側（上側）の高さ寸法が制限されることが多い。このため、照明装置を設置するための領域の大きさが制限される。この制限に対応するために、照明装置の寸法を小さくすると、照明光によりかご室内を照らすときに、光むらが発生することがある。
【０００６】
一方、天井板の内側（下側）に張り出す量（下方張出量）を大きくして、光むらを抑制しようとすると、かご室内の乗客が圧迫されるように感じることがある。このため、当該下方張出量が大きくなることも望ましくない。また、意匠性の観点からも、当該下方張出量が大きいことは望ましくない。
【０００７】
また、天井板の上方には、光源等からの発熱を放熱するための放熱部を取り付ける必要がある。しかし、この放熱部を設置するための領域も上述のように制約される。
【０００８】
本発明の実施形態は上記課題を解決するためのものであり、その目的は、エレベータ乗りかごに取り付けられる照明装置をよりコンパクトにすることである。
【課題を解決するための手段】
【０００９】
上記目的を達成するための実施形態に係るエレベータ乗りかごは、床板と、この床板に垂直に配置された複数の側板と、前記床板の上方に互いに平行に配置されて、前記床板および前記複数の側板とで囲われたかご室を形成し、複数の貫通穴が形成された天井板と、前記天井板の前記かご室に面する天井面に取り付けられた照明装置と、を有し、前記照明装置は、前記天井面に沿うように且つ一部が前記貫通穴を塞ぐように配置された少なくとも一つの光源部と、前記かご室の外側に配置されて前記光源部に電源供給可能に構成された電源部と、前記電源部および前記光源部に電気的に接続されて前記光源部に作用する電圧が所定値になるように調整された電気抵抗部と、一部が前記貫通穴の下方にあるように前記天井板に固定されて、前記光源部を固定して、前記光源部が発する熱を放熱可能に構成された放熱部と、を有することを特徴とする。
【図面の簡単な説明】
【００１０】
【図１】本発明に係る第１の実施形態のエレベータの乗りかご内のかご室を示す透視図で、かご室内を背面側からかご扉を見た状態を示す。
【図２】図１の照明装置の概略を示す立断面図である。
【図３】図２の上面図である。
【図４】図３のIV−IV矢視部分断面図である。
【図５】図４のＶ部拡大立断面図である。
【図６】図３の拡散板の概略下面図である。
【図７】本発明に係る第２の実施形態のエレベータ乗りかごの照明装置の部分断面図である。
【図８】本発明に係る第３の実施形態のエレベータ乗りかごの照明装置の部分断面図である。
【発明を実施するための形態】
【００１１】
以下、実施形態について、図面を参照して説明する。
【００１２】
［第１の実施形態］
第１の実施形態について、図１〜図４を用いて説明する。図１は、本実施形態のエレベータの乗りかご内のかご室７を示す透視図で、かご室７内を背面側からかご扉３を見た状態を示す。図２は、図１の照明装置１０の概略を示す立断面図である。図２では、照明装置１０の詳細な形状は省略し、模式的に示したものである。図２では、天井板４の上面の電源部７１等の図示を省略している。図３は、図２の上面図である。図４は、図３のIV−IV矢視部分断面図である。図５は、図３のＶ部拡大図である。図６は、図３の拡散板６３の概略下面図である。
【００１３】
先ず、本実施形態のエレベータ乗りかごの構成について説明する。
【００１４】
このエレベータ乗りかごは、床板１と、側板２と、天井板４と、かご扉３と、照明装置１０と、を有する（図１）。このエレベータ乗りかごは、詳細な図示は省略するが、建屋に形成された鉛直に延びる昇降路内を上下移動して、乗客を輸送する。
【００１５】
かご扉３は、エレベータ乗りかごが、所定階層で停止したときに、開閉可能に構成される。
【００１６】
側板２は、床板１に垂直に複数枚配置される。これらの側板２には、乗客が行先階層等を登録するためのスイッチ等（図示せず）が設けられている。
【００１７】
天井板４は、床板１の上方に互いに平行に配置される。この天井板４、床板１および側板２でかご室７が形成される。このかご室７は、直方体状の空間である。
【００１８】
この天井板４には、二つの貫通長穴、すなわち、第１の貫通長穴１１および第２の貫通長穴１２が形成される。これらの第１および第２の貫通長穴１１，１２は、それぞれ長方形状で、それぞれの長手方向が互いに平行に互いに間隔をあけて形成されている。
【００１９】
照明装置１０は、天井板４のかご室７に面する天井面４ａに取り付けられる。以下、照明装置１０の構成について説明する。
【００２０】
照明装置１０は、二つの光源部、すなわち第１の光源部３１および第２の光源部３２と、これらの対応する二つの放熱部、すなわち、第１の放熱部２１および第２の放熱部２２と、電源部７１と、電気抵抗部７２と、を有する。また、この照明装置１０は、固定板５０と、導光板６１と、反射シート６２と、拡散板６３と、固定用弾性部材６４と、を有する。
【００２１】
固定板５０は、金属製の部材で、平板部５０ａと、二つの固定部、すなわち第１の固定部５１および第２の固定部５２と、を有する。
【００２２】
平板部５０ａは、略長方形状で、天井面４ａに互いに平行で、天井面４ａから下方に所定の間隔をあけて配置される。この平板部５０ａは、所定の位置でボルト８０等により天井板４に固定される。このとき、当該ボルト８０は、かご室７内からは見えないように取り付けられている。
【００２３】
第１の固定部５１は、平板部５０ａの図３における左方端部に形成され、上方押え部５５および下方支持部５６を有する。
【００２４】
上方押え部５５は、図３の左右方向に長い長方形状で、図３における上下方向に互いに間隔をあけて二つ形成されている。各上方押え部５５それぞれは、第１の固定部５１の一部が図３の右方向に切り込まれて形成される長方形状で、図３における左右方向に長い。各上方押え部５５は、上面に曲げられている（図４）。
【００２５】
下方支持部５６は、第１の固定部５１のうち、天井面４ａと互いに平行な平面が形成される部位で、平板部５０ａの図３における左方の延長上に一体に形成されている。
【００２６】
詳細は後述するが、この第１の固定部５１は、上方押え部５５と下方支持部５６により、第１の放熱部２１を挟み込んで固定する（図４）。
【００２７】
第２の固定部５２は、平板部５０ａの図３における右方端部に形成され、第１の固定部５１と同様に、上方押え部５５および下方支持部５６を有する。これらの上方押え部５５と下方支持部５６により、第２の放熱部２２を挟み込んで固定する。
【００２８】
第１の放熱部２１は、第１の固定部５１に固定される例えばアルミニウム合金等の金属製のブロック材で、一部が第１の貫通長穴１１の下方にあるように配置される。この第１の放熱部２１は、放熱フィン２６と、第１の光源部３１等を固定するための光源支持部２７と、を有する。
【００２９】
第１の放熱部２１は、第１の貫通長穴１１をかご室７内から見えないように塞いでいる。これにより意匠性が確保できる。
【００３０】
ここで、放熱フィン２６が形成される位置について説明する。第１放熱部は、鉛直上向に頂上部２５があるように傾斜面が形成される。この頂上部２５は、第１の貫通長穴１１の長手方向に延びる。すなわち、頂上部２５は、図３における上下方向に延びる稜線で、頂上部２５を境に図３の左方および右方それぞれに傾斜面が形成される。右方にある傾斜面は、上方押え部５５に接するように構成されている（図４）。左方にある傾斜面には、放熱フィン２６が形成される。この放熱フィン２６は、傾斜面に垂直に凹凸が形成されてなる。この放熱フィン２６は、第１の光源部３１が発する熱を放熱可能である。
【００３１】
この例の第１の放熱部２１の頂上は、第１の貫通長穴１１の高さ方向位置（図４の上下方向位置）とほぼ同じ位置にある。
【００３２】
光源支持部２７は、放熱フィン２６の下方に形成されて、第１の光源部３１と、導光板６１、反射シート６２、拡散板６３等を固定する（図４）。このとき、例えばゴム等の固定用弾性部材６４を用いて、導光板６１、反射シート６２、拡散板６３を固定する。詳細は、後で説明する。
【００３３】
第２の放熱部２２は、第２の固定部５２に固定される例えばアルミニウム合金等の金属製の部材で、一部が第２の貫通長穴１２の下方にあるように配置される。この第２の放熱部２２は、第１の放熱部２１と同様に、放熱フィン２６と、第１の光源部３１等を固定するための光源支持部２７と、を有する。ここで、第２の放熱部２２は、第２の貫通長穴１２をかご室７内から見えないように塞いでいる。これにより意匠性が確保できる。
【００３４】
電源部７１は、天井板４の上面（外側）で、第１および第２の貫通長穴１１，１２の間に固定される。この電源部７１は、光源部に電気配線７３を介して第１および第２の光源部３１、３２に電流を流す。これにより、第１および第２の光源部３１、３２は発光する。詳細は後述する。図３および図４では、電気配線７３の詳細な図示を省略し、模式的に点線で示している。
【００３５】
電気抵抗部７２は、電源部７１および光源部に電気的に接続される。この例では、電源部７１と一体に構成されている。図３では、詳細な図示を省略し、仮想的に二点鎖線で示している。この電気抵抗部７２は、電源部７１と、第１の光源部３１および第２の光源部３２と共に一つの閉回路を形成する。この電気抵抗部７２の抵抗値は可変で、第１および第２の光源部３１、３２に作用する電圧が所定値になるように調整されている。
【００３６】
第１の光源部３１は、例えば直線状に延びたＬＥＤ照明器具で、第１の貫通長穴１１の長手方向（図３の上下方向、図４の奥行き方向）に延びて、且つ天井面４ａに平行に配置される。第１の光源部３１は、上述の通り、電源部７１から電源供給されて、内部に電流が流れることにより発光する。このとき電気抵抗部７２の抵抗値を調整して、第１の光源部３１に作用する電圧が調整される。
【００３７】
この第１の光源部３１は、第１の貫通長穴１１の長手方向に跨ぐように配置されて、第１の放熱部２１の光源支持部２７に取り付けられている。
【００３８】
第２の光源部３２は、第１の光源部３１と同様に、直線状に延びたＬＥＤ照明器具で、第２の貫通長穴１２の長手方向（図３の上下方向、図４の奥行き方向）に延びて、且つ天井面４ａに平行に配置される。上述の通り、第２の光源部３２は、電源部７１から電流が流れるように電源供給されて発光する。また、第２の光源部３２は、第２の貫通長穴１２の長手方向に跨ぐように配置されて、第２の放熱部２２の光源支持部２７に取り付けられている。
【００３９】
導光板６１は、固定板５０の平板部５０ａの下面に平行に配置され長方形状である。この導光板６１は、例えばアクリル樹脂等により形成される。この導光板６１の両端（図３における左右の両端）は、第１および第２の放熱部２１、２２それぞれの光源支持部２７に固定されている。長方形状の一辺が、第１の放熱部２１の光源支持部２７側で、第１の光源部３１に対向するように配置される。この対向する辺を含む部位が、第１の放熱部２１の光源支持部２７に固定される。
【００４０】
第１の光源部３１に対向する辺の反対側にある辺が、第２の放熱部２２の光源支持部２７側で、第２の光源部３２に対向する。この対向する辺を含む部位が、第２の放熱部２２の光源支持部２７に固定される。この導光板６１は、第１および第２の光源部３１、３２から発する光を、導光板６１の面が広がる方向に導光可能で、この例では、導光板６１の中央に向かうように導光する。
【００４１】
反射シート６２は、導光板６１および平板部５０ａの間に挟まれるように導光板６１の上面に取り付けられる。この例では、導光板６１の上面に貼り付けられている。この反射シート６２は、導光板６１で導光される光を下方に反射する。
【００４２】
拡散板６３は、かご室７に面するように導光板６１の下面に取り付けられた平板状である。導光板６１内に導光されている光を、かご室７内を照らすように光を拡散することができる。
【００４３】
この拡散板６３は、かご室７に面する面（かご室側面）に複数の球面レンズ６３ａが複数形成されている（図５）。これらの球面レンズ６３ａは、かご室７側に突出する。かご室側面内において、球面レンズ６３ａが占める面積は、第１および第２の光源部３１、３２に近い側よりも、中央が大きくなるように形成されている（図６）。この例では、中央に形成される球面レンズ６３ａの直径が、端部側に形成されるものよりも大きい。
【００４４】
これにより、第１および第２の光源部３１、３２に遠い部分の拡散板からかご室７内を照射される光と、当該光源部３１、３２に近いところから照射される光が、均一になる。
【００４５】
ここで、第１の固定部５１に形成される光源支持部２７によって、導光板６１、反射シート６２、拡散板６３を固定する状態について説明する。
【００４６】
光源支持部２７は、第１の光源部３１が収容可能で、図４の奥行き方向に延びる溝状である。この光源支持部２７は、導光板６１等の中央側、すなわち、図４の左方に開口する。光源支持部２７内に、第１の固定部５１の下方支持部５６の端部が挿入される。
【００４７】
この下方支持部５６の下側に、反射シート６２、導光板６１および拡散板６３が、この順に上から下に向かって積層される。このとき、導光板６１、反射シート６２、拡散板６３の端部（図４の左方端部）は、光源支持部２７内にある。本例では、導光板６１、反射シート６２、拡散板６３、下方支持部５６の端部が、図４における左右方向位置が同じになるように配置される。
【００４８】
光源支持部２７内の下部と、拡散板６３との間に、固定用弾性部材６４が取り付けられている。これにより、熱膨張等の変形、具体的には、導光板６１等の厚みが変化しても、固定用弾性部材６４の弾性変形により、導光板６１等の固定状態が保たれる。
【００４９】
第１の光源部３１は、導光板６１の端部に接した状態で固定される。このとき、第１の光源部３１等に付随する電気部品（基板３１ａ）が、光源支持部２７の溝底側に取り付けられている。
【００５０】
導光板６１等を用いた光学系により、第１の光源部３１からの光を、より中央（図４の左方）に導光できる。このため、導光板６１の厚み（図４の上下方向寸法）と、第１の光源部３１の図４における高さ寸法と、がほぼ同じになるように構成することができ、かご室７内に照明装置１０が突出する量を抑えることができる。
【００５１】
なお、詳細な図示は省略するが、第２の光源部３２側も同様に構成されている。
【００５２】
続いて、第１および第２の光源部３１、３２が発光しているときの放熱について説明する。
【００５３】
電源部７１から電源供給されると、第１および第２の光源部３１、３２が発光する。これにより、導光板６１、拡散板６３等を介して、かご室７内を照明する。
【００５４】
このとき、第１および第２の光源部３１、３２から熱が発生する。第１の光源部３１から発生する熱は、第１の放熱部２１に伝導される。また、光源支持部２７内の空気に伝達されて、第１の放熱部２１に伝わる。
【００５５】
この熱が伝導された第１の放熱部２１は、放熱フィン２６から放熱される。このとき、放熱による自然対流等により、熱は上方に流動する。この例では、放熱フィン２６が形成される傾斜面に沿って、第１の貫通長穴１１に向かって流れる。その後、第１の貫通長穴１１から、かご室７の外部に放熱される。
【００５６】
第２の光源部３２から発する熱は、第１の光源部３１から発する熱の流動と同じように、第２の貫通長穴１２から、かご室７の外部に放熱される。この例では、第１および第２の放熱部２１、２２の各放熱フィン２６が形成される部位が傾斜であるために、熱が上方に流れやすくなる。
【００５７】
一方、導光板６１等に伝わる熱は、固定板５０の平板部５０ａを伝わって、天井板４および平板部５０ａの間に流れ、第１および第２の貫通長穴１１，１２からかご室７の外側に放熱される。
【００５８】
これにより、第１および第２の光源部３１、３２から発生する熱を、効率よく天井板４の上方に放熱できる。
【００５９】
以上の説明からわかるように、本実施形態によれば、エレベータ乗りかごに取り付けられる照明装置１０をよりコンパクトすることができ、且つ照明装置１０から発生する熱を効率よく放熱することが可能になる。
【００６０】
［第２の実施形態］
第２の実施形態のエレベータ乗りかごについて、図７を用いて説明する。図７は、本実施形態のエレベータ乗りかごの照明装置１０の部分断面図である。なお、本実施形態は、第１の実施形態（図１〜図６）の変形例であって、第１の実施形態と同一部分または類似部分には、同一符号を付して、重複説明を省略する。
【００６１】
本実施形態の第１の放熱部２１の頂上部２５は、第１の貫通長穴１１から、天井板４の上方に飛び出している。図示は省略するが、第２の放熱部２２の頂上部２５も、第２の貫通長穴１２から天井板４の上方に飛び出している。
【００６２】
これにより、第１の実施形態と同様の効果を得ると共に、第１および第２の放熱部２１、２２を伝導される熱が、直接的に、エレベータ乗りかごの外部に放熱可能である。
【００６３】
［第３の実施形態］
第３の実施形態のエレベータ乗りかごについて、図８を用いて説明する。図８は、本実施形態のエレベータ乗りかごの照明装置１０の部分断面図である。なお、本実施形態は、第１の実施形態（図１〜図６）の変形例であって、第１の実施形態と同一部分または類似部分には、同一符号を付して、重複説明を省略する。
【００６４】
本実施形態の第１の放熱部２１は、第１の実施形態で説明した放熱フィン２６が鉛直に凹凸を形成する。これにより、第１および第２の貫通長穴１１、１２等の寸法を小さくできる。
【００６５】
この例は、比較的発熱が小さい照明装置１０を用いるときに有効である。
【００６６】
［その他の実施形態］
上記実施形態の説明は、本発明を説明するための例示であって、特許請求の範囲に記載の発明を限定するものではない。また、本発明の各部構成は上記実施形態に限らず、特許請求の範囲に記載の技術的範囲内で種々の変形が可能である。
【００６７】
例えば、第３の実施形態の第１の放熱部２１の伝熱フィンの上端が、第１の貫通長穴１１からかご室７の外側に飛び出すように配置してもよい。
【００６８】
また、電気抵抗部７２は、電源部７１と別体に構成してもよい。
【００６９】
また、光源部および放熱部を二組の例で説明したが、片側一つでもよい。また、３組又は４組とすることも可能である。
【００７０】
また、第１および第２の光源部３１、３２は、ＬＥＤ照明器具に限らず、他の光源を用いてもよい。
【符号の説明】
【００７１】
１…床板、２…側板、３…かご扉、４…天井板、４ａ…天井面、７…かご室、１０…照明装置、１１…第１の貫通長穴、１２…第２の貫通長穴、２１…第１の放熱部、２２…第２の放熱部、２５…頂上部、２６…放熱フィン、２７…光源支持部、３１…第１の光源部、３１ａ…基板、３２…第２の光源部、５０…固定板、５０ａ…平板部、５１…第１の固定部、５２…第２の固定部、５５…上方押え部、５６…下方支持部、６１…導光板、６２…反射シート、６３…拡散板、６３ａ…球面レンズ、６４…固定用弾性部材、７１…電源部、７２…電気抵抗部、７３…電気配線、８０…ボルト
【図１】
2013014420.tif 000003
【図２】
2013014420.tif 000004
【図３】
2013014420.tif 000005
【図４】
2013014420.tif 000006
【図５】
2013014420.tif 000007
【図６】
2013014420.tif 000008
【図７】
2013014420.tif 000009
【図８】
2013014420.tif 000010